(57)【要約】【課題】  掘削に使用される鋼管杭を引抜くことで上記鋼管杭の内部で構築された基礎杭が掘削穴内に効率良く設置されると共に、当該鋼管杭の再利用を図ることで施工費用の低廉化を実現することができる基礎杭を提供する。【解決手段】  鋼管杭６は、その下端に一定方向の回転によりヘッド４との係合状態が保持されるバイヨネット継手を備え、鉄筋Ｓが内装されて鋼管杭６の上部開口端から遊嵌状態で挿入した成形管体２の下端部と、ヘッド４の挿嵌穴４ａ内部に挿嵌されて予め鉄筋Ｓ’を内装した成形管体１３の上端とが当接した状態で、成形管体２の内部に投入された生コンクリートＣ、又はセメントミルクの固化により一体的に接合されて基礎杭１が構築され、上記生コンクリートＣ又はセメントミルクの投入前又は後に上記鋼管杭６を、逆転駆動させて上記バイヨネット継手によりヘッド４から離脱して地盤Ｇ内から引き抜いた際、基礎杭１が掘削地盤Ｇ内に埋設されるように構成される。【選択図】  図１
0003122336.tif 000002
【実用新案登録請求の範囲】
【請求項１】
鋼管杭の下端に掘削刃を備えたヘッドを連結し、一定方向の回転駆動と直進移動により掘削される地盤内に埋め込まれる基礎杭に於いて、
上記鋼管杭６は、その下端に一定方向の回転により上記ヘッド４と係合状態が保持される係止手段を備え、鉄筋Ｓが内装されて上記鋼管杭６の上部開口端から遊嵌状態で挿入した成形管体の下端部と、中央の挿嵌穴４ａに鉄筋Ｓ’を内装した上記ヘッド４とが、上記ヘッド４の挿嵌穴４ａ上端の周縁に上記成形管体の下端部を当接した状態で上記挿嵌穴４ａ乃至成形管体の内部に投入された生コンクリートＣ、又はセメントミルクにより一体的に接合されて基礎杭２８が構成されて成り、上記生コンクリートＣ又はセメントミルクの投入前又は後に上記鋼管杭６を、逆転駆動させて上記係止手段により上記ヘッド４から離脱して上記地盤Ｇ内から引き抜いた際、上記基礎杭が掘削地盤Ｇ内に埋設されるようになっていることを特徴とする基礎杭。
【請求項２】
上記成形管体は、発泡樹脂で肉厚円筒状に成形されていることを特徴とする請求項１に記載の基礎杭。
【請求項３】
上記成形管体は、硬質塩化ビニルで中空管状に成形されていることを特徴とする請求項１に記載の基礎杭。
【請求項４】
上記係止手段は、上記ヘッド４の上方外周に突設した係止片１０と、上記鋼管杭６の下端に開口し上記係止片１０を軸方向に案内すべく当該係止片１０が挿入可能な幅で直線状に形成された縦溝１２ａと、該縦溝１２ａの突当て底部から横方向に延設されていて上記係止片１０が挿入可能な高さを有し上記係止片１０の幅と少なくとも略同一深さで形成された横溝１２ｂとから鍵型に形成された係止溝１２とで構成されていることを特徴とする請求項１に記載の基礎杭。
【請求項５】
上記鋼管杭６下端の側壁には、上記縦溝１２ａを跨ぐように補強部材１４が溶接接合されていることを特徴とする請求項４に記載の基礎杭。
【考案の詳細な説明】
【技術分野】
【０００１】
本考案は、下端に掘削刃を備えたヘッドを連結した鋼管杭の一定方向の回転駆動と直進移動により掘削される地盤内に埋め込まれる基礎杭に関する。
【背景技術】
【０００２】
従来より、この種の基礎杭として、鋼管などから構成される管杭本体の外周に螺旋状の掘削羽根が設けられ、管杭本体の底部内側に板状の底蓋部材が係止手段に係止された回転圧入鋼管杭が用いられている（特許文献１参照）。
【０００３】
この回転圧入鋼管杭は、掘削羽根を正回転させながら地盤に推進して行き、上記回転圧入鋼管杭の底が支持層に達したら、該回転圧入鋼管杭を僅かに逆転させることで上記底蓋部材を開放させ、再び正回転により推進しつつ掘削土を回転圧入鋼管杭内部を通して排土し、上記支持層に適宜な深さに根入れなどして地盤に埋設されるようになっている。
【０００４】
【特許文献１】特開２０００−１１０１７８号公報
【考案の開示】
【考案が解決しようとする課題】
【０００５】
上記の回転圧入鋼管杭は、掘削深さに応じて順次接続して伸長させつつ支持層に突き当るまで掘進し、掘削地盤内にそのまま埋め込まれたまま基礎杭として使用されるようになっている。
【０００６】
ところで、この回転圧入鋼管杭は、強度を有する材料として一般構造用炭素鋼管または建築構造用炭素鋼管などの高価なものが使用されているため、数多く使用されると施工費用が嵩むため不経済となることから、施工費の低廉化が要求されていた。
【０００７】
本考案は、このような要望に着目してなされたもので、掘削に使用される鋼管杭を引抜くことで上記鋼管杭の内部で構築された基礎杭が掘削孔内に効率良く設置されると共に、当該鋼管杭の再利用を図ることで施工費用の低廉化を実現することができる基礎杭を提供することを目的とする。
【課題を解決するための手段】
【０００８】
上記目的を解決するために、本考案の請求項１に記載の基礎杭は、鋼管杭の下端に掘削刃を備えたヘッドを連結し、一定方向の回転駆動と直進移動により掘削される地盤内に埋め込まれる基礎杭に於いて、上記鋼管杭は、その下端に一定方向の回転により上記ヘッドと係合状態が保持される係止手段を備え、鉄筋が内装されて上記鋼管杭の上部開口端から遊嵌状態で挿入した成形管体の下端部と、中央の挿嵌穴に鉄筋を内装した上記ヘッドとが、上記ヘッドの挿嵌穴上端の周縁に上記成形管体の下端部を当接した状態で上記挿嵌穴乃至成形管体の内部に投入された生コンクリート、又はセメントミルクにより一体的に接合されて基礎杭が構成されて成り、上記鋼管杭を、逆転駆動させて上記係止手段により上記ヘッドから離脱して上記地盤内から引き抜いた際、上記基礎杭が掘削地盤Ｇ内に埋設されるようになっていることを特徴とする基礎杭である。
上記の基礎杭によれば、鋼管杭の下端に係止手段を介して掘削刃を備えたヘッドを連結し、一定方向の回転駆動と直進移動により地盤を掘削する。地盤の掘削時に、上記鋼管杭の上部開口端から遊嵌状態で挿入された鉄筋を内装した成形管体の下端部と、中央の挿嵌穴に鉄筋を充填収容した上記ヘッドとが、上記成形管体の下端部を上記ヘッドの挿嵌穴周縁に当接した状態で上記成形管体の内部に投入された生コンクリート、又はセメントミルクにより一体的に接合されて基礎杭が構成される。そして、上記生コンクリート又はセメントミルク投入の前又は後に、上記鋼管杭を逆転駆動させて係止手段により上記ヘッドから離脱して地盤内から引き抜かれると、上記基礎杭が掘削地盤内に埋設される。
【０００９】
本考案の請求項２に記載の基礎杭は、上記成形管体が、発泡樹脂で一定長さの肉厚円筒状に成形されていることを特徴とする基礎杭である。
上記の基礎杭によれば、市販されている発泡樹脂で肉厚円筒状に成形されたものを必要な一定長さのものを選択するか、必要長さに切断して使用される。
【００１０】
本考案の請求項３に記載の基礎杭は、上記成形管体が、硬質塩化ビニルで一定長さの中空管状に成形されていることを特徴とする基礎杭である。
上記の基礎杭によれば、市販されている硬質塩化ビニルで中空管状に成形されたものを必要な一定長さのものを選択するか、必要長さに切断して使用される。
【００１１】
本考案の請求項４に記載の基礎杭は、上記係止手段が、上記ヘッドの上方外周に突設した係止片と、上記鋼管杭の下端に開口し上記係止片を軸方向に案内すべく当該係止片が挿入可能な幅で直線状に形成された縦溝と、該縦溝の突当て底部から横方向に延設されていて上記係止片が挿入可能な高さを有し上記係止片の幅と少なくとも略同一深さで形成された横溝とから鍵型に形成された係止溝とで構成されていることを特徴とする基礎杭である。
上記の基礎杭によれば、掘削時における鋼管杭は、上記ヘッドの掘削方向と同じ方向の回転では、上記鋼管杭下端に鍵型に形成された係止溝と上記ヘッドの係止片との係合状態が保持され、掘削完了時における鋼管杭は、逆転駆動により上記係止溝から上記ヘッドの係止片１０が離脱されて地盤上に引抜かれる。
【００１２】
本考案の請求項５に記載の基礎杭は、上記鋼管杭下端の側壁には、上記縦溝を跨ぐように補強部材が溶接接合されていることを特徴とする基礎杭である。
上記の基礎杭によれば、上記の基礎杭によれば、掘削時において、上記鋼管杭の下端が地盤から受ける掘進方向と回転方向の掘削負荷により縦溝の開放が補強部材により防止される。
【考案の効果】
【００１３】
本考案は以下の効果を奏する。
【００１４】
請求項１に記載の考案によれば、掘削に使用される鋼管杭の内部で成形管体内に充填収容した生コンクリート、又はセメントミルクによりヘッドと一体化された基礎杭が構築され、上記鋼管杭を地盤から引抜くことで上記基礎杭を掘削地盤内に効率良く設置することができ、安価な基礎杭として提供することができる。
【００１５】
請求項２に記載の考案によれば、成形管体として、市販されている発泡樹脂で肉厚円筒状に成形されたものが使用されるので、加工並びに施工作業が容易となりトータルコストの低減を図ることができる。
【００１６】
請求項３に記載の考案によれば、成形管体として、市販されている硬質塩化ビニルで中空管状に成形されたものが使用されるので、加工並びに施工作業が容易となりトータルコストの低減を図ることができる。
【００１７】
請求項４に記載の考案によれば、鋼管杭下端に鍵型に形成された係止溝とヘッドの係止片とが、ヘッドの掘削方向と同じ方向で係合するように構成されているので、地盤掘削時では上記ヘッドとの係合状態が確実に保持され、掘削完了時では上記鋼管杭を逆転駆動することで上記ヘッドとの係合状態が解除されるので地盤から鋼管杭のみを引抜くことができ、施工作業が容易になる。
【００１８】
請求項４に記載の考案によれば、縦溝に跨設して補強部材を設けることで、掘削時に鋼管杭の下端が地盤から受ける掘進方向と回転方向の掘削負荷により生ずる上記縦溝の開放作用を防止することができる。
【考案を実施するための最良の形態】
【００１９】
本考案の実施例を以下に説明する。
【実施例１】
【００２０】
図１および図２には、本考案の実施例１が示されている。図１は実施例１に係る基礎杭が内装された鋼管杭の一部断面を示す外観図、図２は掘削刃を備えたヘッド側から視た鋼管杭の正面図、図３は実施例１に係る基礎杭が内装された鋼管杭の断面図、図４は基礎杭が内装された他の構造の掘削刃を備えた鋼管杭の外観図、図５は他の構造の掘削刃を備えたヘッド側から視た鋼管杭の正面図、図６は掘削刃を備えたヘッドに螺旋翼を設けた鋼管杭の外観図、図７は螺旋翼を設けたヘッド側から視た鋼管杭の正面図である。
【００２１】
図１、図２において、６は一般構造用炭素鋼管または建築構造用炭素鋼管から構成される掘削深さや地盤の質に応じて予め決められた必要とされる直径の鋼管杭であって、この鋼管杭６は、例えば外径が約１００ｍｍ〜５００ｍｍ、肉厚が４．５ｍｍ〜１２．７ｍｍ、単位長さが３ｍ〜１２ｍのものが使用されており、この鋼管杭６の下端には１枚の掘削刃５を下端に備えた鋳鋼製のヘッド４が係止手段として例えばバイヨネット継手を介して連結されている。
【００２２】
このバイヨネット継手は、ヘッド４の上方外周に突設した角型の係止片１０と、鋼管杭６の下端に開口し上記係止片１０を軸方向に案内すべくこの係止片１０が挿入可能な幅で直線状に形成された縦溝１２ａと、この縦溝１２ａの突当て底部から横方向に延設されていて上記係止片１０が挿入可能な高さを有し上記係止片１０の幅と少なくとも略同一深さで形成された横溝１２ｂとから鍵型（逆Ｌ字型）に形成された係止溝１２とで構成されている。尚、着脱可能な係合手段としてバイヨネット継手を用いた例を説明したが、これ以外にねじによる接合も可能である。
【００２３】
ヘッド４の外周には、上記係止片１０より下方に押し当てリング８が接合されており、この押し当てリング８は、上記ヘッド４の上端から後述する鋼管杭６を挿嵌するに際し、上記ヘッド４外周の係止片１０を縦溝１２ａに挿入したとき、この係止片１０が上記横溝１２ｂが対応するよう位置決めされている。
【００２４】
鋼管杭６下端の側壁には、縦溝１２ａを跨ぐように補強部材１４が溶接接合されていて、地盤掘削時に作用する負荷による縦溝１２ａの開放を防止している。
【００２５】
下端に掘削刃５を備えたヘッド４を連結した鋼管杭６は、掘削深さに応じて上下の鋼管杭６を後述するソケットまたは外周に形成された凹凸溝同士の軸方向嵌合によって順次接合して伸長可能に構成されており、この鋼管杭６の内部には、本考案に係る上記鋼管杭の内径に対応した直径となる基礎杭１が上部開口端から遊嵌状態で挿入されるようになっており、上記基礎杭１も、掘削深さに応じて上記鋼管杭６と同様に凹凸溝や接着剤などにより順次接合して伸長可能に構成されている。ここで、ソケットによる鋼管杭６結合とは、上下の鋼管杭６を挿嵌したソケットの外周からボルトを軸方向と直交する方向に貫通固定する方法で、また、凹凸溝同士の軸方向嵌合とは、上下鋼管杭６の対応する端面外周に一定間隔で形成された軸方向凹凸溝どうしを挿嵌させて連結する方法である。尚、上記鋼管杭６及び基礎杭１は、掘削される地盤Ｇの質や掘削機の掘削能力によって異なるが、単一の必要な長さのものを用いることもできる。
【００２６】
この基礎杭１は、石油化学材料（例えば発泡樹脂系、ゴム系、プラスチック系）で円筒状に成形された成形管体２と、該成形管体２の内部に施工現場で挿入される鉄筋Ｓと、該成形管体２の内部に充填される生コンクリートＣ（セメント＋砂利＋砂＋水）、又はセメントミルク（セメント＋水）によって鉄筋Ｓと共に固化され、上記成形管体２と一体的に接合されるヘッド４（後述する）とから一体的剛体として構築される。尚、上記鉄筋Ｓの長さ及び太さや本数は、施工現場の状況に応じて変化されるようになっている。また、上記成形管体２の内部に挿入される鉄筋Ｓは、生コンクリート、またはセメントミルクを充填する際に、かぶり厚を確保するためにスペーサを用いて固定される。
【００２７】
本実施例では、上記成形管体２は市販されている発泡樹脂で肉厚円筒状に成形されものが使用されており、この発泡樹脂を必要な長さに切断するか、定尺長さのものを選択的に使用することができる。
【００２８】
上記成形管体２は、図３に示すように上部開口端から挿入された下端部が、上記ヘッド４の挿嵌穴４ａ内に装着された同種材質の成形管体１３に、凹凸溝や接着剤などを介して接合されて上記ヘッド４と一体的に構成される。そして、ヘッド４の挿嵌穴４ａ内に挿嵌されている成形管体１３内には、予め鉄筋Ｓ’が挿入されている。上記ヘッド４に接合されて地盤上面から突出した成形管体２の余剰の突出部が少なくとも地盤上面よりも低位置で切除される。尚、上記ヘッド４の成形管体１３内に予め挿入されている鉄筋Ｓ’を構成する各部材は、焼きなましや鉄線または溶接などの一般的な接続手法で接合されている。
【００２９】
図４、図５において、１５は実施例１における掘削刃５とは他の構造の掘削刃であって、この掘削刃１５は、２枚の刃を交叉した状態で重ねた構成であって、ヘッド１６の下端に設けられている。他の構成は上記実施例１で述べた構成と同一であり、その説明は省略する。
【００３０】
図６、図７において、２５は螺旋翼であって、この螺旋翼２５は、下端に掘削刃５を備えたヘッド２４の外周に取付けられている。そして、上記ヘッド２４を取付けた鋼管杭６の内部には、外周に複数の環状Ｖ溝２２を長手方向一定間隔で形成した上記と同じ材質で円筒状に成形された成形管体２０が遊嵌状態で挿入される。
【００３１】
このように、成形管体２０の外周には、長手方向一定間隔で形成される複数の環状Ｖ溝２２が形成されており、この成形管体２０と、この成形管体２０内部に施工現場で挿入される鉄筋Ｓと、該成形管体２の内部に充填され生コンクリート、又はセメントミルクにより上記鉄筋Ｓと共に固化され、上記成形管体２０と一体的に接合されるヘッド４（後述する）とから基礎杭１８が構成される。
【００３２】
そこで、後述するように鋼管杭６が引抜かれて基礎杭１８が地盤内に埋設された際に、複数の環状Ｖ溝２２に入り込む土砂により上記成形管体２０の軸方向の移動を拘束することができる。
【００３３】
次に、上記係合手段となるバイヨネット継手の作用に付き図８（ａ）〜（ｃ）を参照して説明する。図８（ａ）は地盤掘削時に鋼管杭とヘッドが係合した状態を示す説明図、（ｂ）は地盤掘削終了時に鋼管杭とヘッドの係合が解除した状態を示す説明図、（ｃ）は地盤掘削終了時に係合の解除により鋼管杭がヘッドから離脱して引き抜かれる状態を示す説明図である。
【００３４】
図８（ａ）において、地盤の掘削に際し、掘削方向への移動により鋼管杭６の下端を、掘削刃５を備えたヘッド４の上端に差込むと共に上記鋼管杭６下端の縦溝１２ａに上記ヘッド４外周の係止片１０を係合した状態で挿嵌する。
【００３５】
更に、上記鋼管杭６の下端を軸方向に移動させてヘッド４外周の押し当てリング８に当接させると係止片１０が縦溝１２ａ上端の突当て底部に達し、上記鋼管杭６を掘削方向に向けて時計廻りに回転させることで上記係止片１０が横溝１２ｂに係合する。
【００３６】
上記係止片１０が横溝１２ｂに係合されると、掘削機を駆動させて上記鋼管杭６を介してヘッド４の掘削刃５を時計廻りに回転すると共に直進移動により地盤の掘削が開始される。地盤掘削時の工程は後述するが、地盤掘削作業の終了により上記鋼管杭６、ヘッド４の時計廻りの回転を停止させたのち、上記鋼管杭６を反時計廻りに回転させることで図８（ｂ）に示すように上記係止片１０を横溝１２ｂから離脱させる。
【００３７】
次いで、上記鋼管杭６を上方に引上げることで鋼管杭６がヘッド４から離脱して地盤の上面から引抜かれると、上記成形管体２が上記ヘッド４に生コンクリートＣ、又はセメントミルクにより接続された状態で鋼管杭６内部で構築された上記基礎杭１（又は上記基礎杭１８）が地盤内に埋設されることとなる。而して、鋼管杭６をヘッド４から離脱して地表に引抜くのは、上記生コンクリートＣ、又はセメントミルクを投入する前に行い、生コンクリート又はセメントミルクをその後に投入してもよいし、この実施例のように生コンクリート又はセメントの投入後に鋼管杭６を引き抜いてもよい。
【００３８】
このように実施例１に係る基礎杭によれば、鉄筋Ｓを内装した上記成形管体２または成形管体２０と、ヘッド４中央の挿嵌穴４ａ内に鉄筋Ｓ’を内装した同種材質の成形管体１３を、互いに当接した状態で上記成形管体２または成形管体２０の上端開口から充填される生コンクリートＣ、又はセメントミルクにより一体的に接合することで、上記基礎杭１又は基礎杭１８を、掘削孔内で効率良く構築することができ、安価な基礎杭を提供することができる。
【実施例２】
【００３９】
図９、図１０には、本考案の実施例２が示されている。図９は本考案の実施例２に係る基礎杭が内装された鋼管杭の一部断面を示す外観図、図１０は実施例２に係る基礎杭が内装された鋼管杭の断面図である。なお、上記実施例１で説明した構成と同一構成部材は同一符号を付してその説明を省略する。
【００４０】
図９、図１０において、符号２８は、上述した石油化学材料として例えば市販されている硬質塩化ビニルで中空管状に成形された成形管体３０であって、必要な一定長さのものを選択するか、必要長さに切断して使用される。この成形管体３０の内部には、施工現場などで鉄筋Ｓが内装され、この鉄筋Ｓを内装した成形管体３０は、上記鋼管杭６の上部開口端から内部に遊嵌状態で挿入される。
【００４１】
次に、上記鋼管杭６の内部に挿入された成形管体３０の下端は、上記ヘッド４の挿嵌穴４ａ内に装着された同種材質の成形管体２３の開口端縁に接着剤などで接合されて上記ヘッド４と一体的に構成される。上記成形管体２３には、溶接接合された鉄筋Ｓ’が内装されており、この状態で、地盤Ｇ上面に臨む成形管体３０の開口端から生コンクリートＣ、又はセメントミルクを投入することで、この生コンクリートＣ、又はセメントミルクの固化により上記成形管体３０とヘッド４とが一体的に接合されて基礎杭２８が構築される。
【００４２】
この基礎杭２８は、掘削深さに応じて伸長する際に順次接合される複数の鋼管杭６と共に、鉄筋Ｓを内装した複数の成形管体３０を鋼管杭６に内装して成形管体３０どうしが当接した状態で成形管体３０内に投入された生コンクリート、又はセメントミルクにより順次接合して伸長することができる。なお、成形管体３０の途中接合は、同種材質（硬質塩化ビニル製）の既製継手管により行われる。また、ヘッド４挿嵌穴４ａ内に挿嵌された成形管体２３内に予め挿入されている鉄筋Ｓ’を構成する各部材は、上述したように焼きなましや鉄線または溶接などの一般的な接続手法で接合される。更に、上記鋼管杭６及び基礎杭２８は、掘削される地盤Ｇの質や掘削機の掘削能力によって異なるが、必要な長さの単一のものを用いることもできる。
【００４３】
そこで、実施例１と同様に係止手段の作用により、上記鋼管杭６の反時計廻りの回転によりヘッド４から切離された鋼管杭６が地盤上面から引抜かれると、上記ヘッド４に接続されて一体化された基礎杭２８が地盤内に埋設されることとなる。而して、生コンクリート又はセメントミルクは鋼管杭６を引き抜いた後に投入してもよい。
【００４４】
このように、実施例２に係る基礎杭２８によれば、鉄筋Ｓを内装した成形管体３０内に充填収容された上記生コンクリートＣ、又はセメントミルクの固化によりヘッド４と一体化された基礎杭２８を、掘削孔内で効率良く構築することができ、安価な基礎杭を提供することができる。
【００４５】
次に、基礎杭を地盤内に構築する工程に付き図１１（ａ）〜（ｅ）を参照して説明する。図１１（ａ）〜（ｅ）は基礎杭を地盤内に構築する工程の説明図である。
【００４６】
ここでは、実施例１で述べた基礎杭１を構築する例として説明する。この基礎杭１は、地盤の質によって埋設深さが異なるもので、軟弱地盤Ｇの層から安定した支持層Ｒとなる岩盤に達するまでの長さとして決められる。図１１では、ヘッド４の掘削刃５が支持層Ｒに達するまで、２本の一定長さの鋼管杭６ａ，６ｂを接続して掘削する例が示されている。
【００４７】
先ず、図１１（ａ）において、鉄筋Ｓを内装した最初の下部鋼管杭６ａ下端のヘッド４の掘削刃５の時計廻り回転と直進移動により軟弱地盤Ｇ内に掘進して、上端が地盤Ｇの上面近傍まで移動した時、図１１（ｂ）に示すように、上記下部鋼管杭６ａの上端開口から上記下部成形管体２ａが遊嵌状態で挿入され、その下端が、上記ヘッド４の挿嵌穴４ａ内に予め鉄筋Ｓ’を内装した同種材質の成形管体１３に凹凸溝や接着剤などを介して接合され、上記ヘッド４と一体的に構成される。
【００４８】
図１１（ｃ）において、上記最初の下部鋼管杭６ａの上端に上部鋼管杭６ｂの下端が図示しないソケットまたは溶接により接合されると、掘削刃５の時計廻りの回転と直進移動により軟弱地盤Ｇ内を更に掘進し、図１１（ｄ）に示すように上記掘削刃５が安定した支持層Ｒに達する。
【００４９】
この状態では、上部鋼管杭６ｂの上端が地盤の上面から僅か突出した状態にあり、この上部鋼管杭６ｂの上端開口から鉄筋Ｓが内装された上部成形管体２ｂが遊嵌状態で挿入されて、その下端部が下部成形管体２ａの上端に凹凸部や接着剤などにより接合されて一体的に構成され、その上端部は上部鋼管杭６ｂの上部開口近傍に位置した状態にある。なお、簡易な接合方法として、長さにもよるが、下部成形管体２ａ単体とヘッド４、または下部成形管体２ａと上部成形管体２ｂとを地上で一体的に接合することもでき、これら一体化された鉄筋Ｓ’を内装したヘッド４と鉄筋Ｓを内装した下部成形管体２ａ、または鉄筋Ｓを内装した下部成形管体２ａと上部成形管体２ｂに、生コンクリート又はセメントミルクを充填することもできる。このようにして、上部成形管体２ｂの上端開口から生コンクリートＣ、又はセメントミルクが投入された場合は、この生コンクリートＣ、又はセメントミルクが固化することにより、上記上部成形管体２ｂないし下部成形管体２ａとヘッド４とが一体的に接合されて基礎杭１が構築される。
【００５０】
次いで、図１１（ｅ）に示すように、互いに一体的に接合された下部鋼管杭６ａと上部鋼管杭６ｂを反時計廻りに回転させることで、上記バイヨネット継手により下部鋼管杭６ａの下端がヘッド４から離脱し、下部鋼管杭６ａ、上部鋼管杭６ｂを地盤Ｇから引抜くことで、内部に挿入されている上部成形管体２ｂ、下部成形管体２ａ及びヘッド４から構成される基礎杭１は、掘削地盤Ｇ内に埋設されることとなる。ここで、地盤Ｇの上面から突出した基礎杭１は適宜必要な高さで切除される。而して、この実施例の他に生コンクリートＣ又はセメントミルクを投入する前に鋼管杭を引き抜き、その後に生コンクリートＣ又はセメントミルクを投入し、成形管体とヘッドを一体としてもよい。
【図面の簡単な説明】
【００５１】
【図１】本考案の実施例１に係る基礎杭が内装された鋼管杭の一部断面を示す外観図である。
【図２】掘削刃を備えたヘッド側から視た鋼管杭の正面図である。
【図３】本考案の実施例１に係る基礎杭が内装された鋼管杭の断面図である。
【図４】本考案の実施例１に係る基礎杭が内装された他の構造の掘削刃を備えた鋼管杭の外観図である。
【図５】他の構造の掘削刃を備えたヘッド側から視た鋼管杭の正面図である。
【図６】掘削刃を備えたヘッドに螺旋翼を設けた鋼管杭の外観図である。
【図７】螺旋翼を設けたヘッド側から視た鋼管杭の正面図である。
【図８】（ａ）は地盤掘削時に鋼管杭とヘッドが係合した状態を示す説明図、（ｂ）は地盤掘削終了時に鋼管杭とヘッドの係合が解除した状態を示す説明図、（ｃ）は地盤掘削終了時に係合の解除によりヘッドから鋼管杭が離脱して引き抜かれる状態を示す説明図である。
【図９】本考案の実施例２に係る基礎杭が内装された鋼管杭の一部断面を示す外観図である。
【図１０】実施例２に係る基礎杭が内装された鋼管杭の断面図である。
【図１１】（ａ）〜（ｅ）は基礎杭を地盤内に構築する工程の説明図である。
【符号の説明】
【００５２】
１，１８，２８      基礎杭
２，１３，２０      成形管体
２ａ                下部成形管体
２ｂ                上部成形管体
４，１６，２４      ヘッド
４ａ                挿嵌穴
５                  掘削刃
６                  鋼管杭
６ａ                下部鋼管杭
６ｂ                上部鋼管杭
８                  押し当てリング
１０                係止片
１２                係止溝
１２ａ              縦溝
１２ｂ              横溝
１４                補強部材
１５                掘削刃
２２                環状Ｖ溝
２３                成形管体
２５                螺旋翼
３０                成形管体
Ｃ                  生コンクリート
Ｇ                  地盤
Ｒ                  支持層
Ｓ，Ｓ’            鉄筋
【図１】
0003122336.tif 000003
【図２】
0003122336.tif 000004
【図３】
0003122336.tif 000005
【図４】
0003122336.tif 000006
【図５】
0003122336.tif 000007
【図６】
0003122336.tif 000008
【図７】
0003122336.tif 000009
【図８】
0003122336.tif 000010
【図９】
0003122336.tif 000011
【図１０】
0003122336.tif 000012
【図１１】
0003122336.tif 000013